(57)【要約】【課題】安価で意匠性が高く、判別器具等を使用する必要もなく、また、複写機やスキャナーを使用した偽造も防止することができる潜像表示媒体を提供する。【解決手段】所定のピッチで万線状に印刷した直線Ｌ１，Ｌ２と、直線のピッチと同ピッチの万線状のエンボスとを平行に形成する。エンボスは、背景領域Ａ１のエンボスと、背景領域Ａ１に対してエンボスの位相が略半ピッチずれた潜像領域Ａ２のエンボスとがあり、正面から観察すると、直線Ｌ１，Ｌ２のみが観察され、背景領域Ａ１と潜像領域Ａ２との区別が付かず、斜めから観察すると、潜像領域Ａ２が背景領域Ａ１と区別して観察することができる。直線Ｌ２は、万線をマイクロ文字Ｍで表現した。【選択図】        図１
2004276560.tif 000002
【特許請求の範囲】
【請求項１】
基材と、
前記基材の色以外の少なくとも一色で直線を並べて、前記基材表面に印刷した万線状の印刷と、
前記印刷が施されている面上にあって、規則的に配置されたエンボスを有した背景領域と、
前記背景領域のエンボスと同様なエンボスを、前記背景領域に対して前記直線との位置関係が異なるように配置し、斜めから観察したときに、前記背景領域のエンボスの陰側とならずに、視認することができる前記基材の色及び／又は前記直線の色と異なる割合で前記基材の色及び／又は前記直線の色を視認することができる潜像領域と、
を備え、
前記印刷は、万線をマイクロ文字で表現したこと
を特徴とする潜像表示媒体。
【請求項２】
基材と、
前記基材の色以外の少なくとも一色で所定の幅を有した直線を所定のピッチで並べて、前記基材表面に印刷した万線状の印刷と、
前記印刷が施されている面上にあって、前記直線と平行かつ同一ピッチの万線状のエンボスを有した背景領域と、
前記背景領域のエンボスと同一のピッチ及び形状のエンボスを、前記エンボス領域のエンボスに対して位相を略半ピッチずらして配置した領域であって、正面から観察すると、前記背景領域との見分けが困難であり、前記直線と交差する斜め方向から観察すると、前記背景領域との見分けがつき、潜像として現れる潜像領域と、
を備え、
前記印刷は、万線をマイクロ文字で表現したこと
を特徴とする潜像表示媒体。
【請求項３】
請求項２に記載の潜像表示媒体において、
前記直線の色と前記基材の色の境界線又は前記直線同士の色の境界線が、前記背景領域及び／又は前記潜像領域のエンボスの凸部及び／又は凹部の略中央に有ること、
を特徴とする潜像表示媒体。
【請求項４】
基材と、
前記基材の色以外の少なくとも一色で所定の幅を有した直線を所定のピッチで並べて、前記基材表面に印刷した万線状の印刷と、
前記印刷が施されている面上にあって、前記直線と平行かつ近似したピッチの万線状のエンボスを有した背景領域と、
前記背景領域のエンボスと平行であると共に近似したピッチ及び形状のエンボスを、前記エンボス領域のエンボスに対して位相を略半ピッチずらして配置した領域であって、正面から観察すると、前記背景領域との見分けが困難であり、前記直線と交差する斜め方向から観察すると、前記背景領域との見分けがつき、潜像として現れる潜像領域と、
を備え、
前記印刷は、万線をマイクロ文字で表現したこと
を特徴とする潜像表示媒体。
【請求項５】
請求項２から請求項４までのいずれか１項に記載の潜像表示媒体において、
前記直線の幅及び／又は色を部分的に変化させることにより、正面から観察したときに、見分けることができる前記潜像以外の図柄を有すること、
を特徴とする潜像表示媒体。
【請求項６】
請求項１から請求項５までのいずれか１項に記載の潜像表示媒体において、
前記エンボスは、前記万線状の直線が印刷された後に形成されていること、
を特徴とする潜像表示媒体。
【請求項７】
請求項１から請求項６までのいずれか１項に記載の潜像表示媒体において、
前記直線は、微細なピッチにより形成され、
前記エンボスは、微細な凹凸により形成されていること、
を特徴とする潜像表示媒体。
【請求項８】
請求項１から請求項７までのいずれか１項に記載の潜像表示媒体において、
前記基材に形成され、前記潜像領域の間で切り離し可能な分離予定線をさらに備え、
前記潜像領域は、割印機能を果たすこと、
を特徴とする潜像表示媒体。
【発明の詳細な説明】
【０００１】
【発明の属する技術分野】
本発明は、観察する角度を変更することにより、潜像を表示することができる潜像表示媒体に関するものである。
【０００２】
【従来の技術】
通常は、視認することができず、特定の手法を用いると、視認することができる像を表示することができる潜像表示媒体は、偽造防止のための手法として用いられたり、その表示によって、意匠性を向上させるために用いられている。
万線状の凹版印刷で、部分的にインキの盛り量に高低をつけて、又は、万線方向をパターン状に異ならせて、潜像を表示する手法が提案されていた（例えば、特許文献１）。
また、隠し絵柄印刷といわれる手法では、表示すべき文字等と他の部分を、位相や角度、ピッチを変えた万線模様によって表現し、対応するピッチの万線スクリーンを介して見ることにより、モアレで文字等を表示していた。
一方、いわゆるコピー牽制印刷が、潜像を利用して偽造防止を行う手法として知られている。この手法では、大きさの異なる２種類の網点を使用し、一方を複写機で解像できる網点とし、他方を解像できない網点とすることにより、コピーすると浮かび上がる警告文字やマーク等の潜像を表示していた。
【０００３】
【特許文献１】
特公昭５６−１９２７３号公報
【０００４】
【発明が解決しようとする課題】
しかし、前述した特許文献１に記載の従来の潜像表示媒体は、凹版印刷機を使用するためインキを大量に使用し、また、用紙にも制限があり、生産効率が悪く、価格が高価であるという問題点があった。
また、隠し絵柄印刷による従来の潜像表示媒体は、潜像の判別に器具（万線スクリーン）が必要であるという問題点があった。その上、近年の複写機・スキャナー技術の目覚しい発展により、画像を取り込んでコンピューター処理し複製・再現することが可能となったという問題点もあった。
更に、コピー牽制印刷による従来の潜像表示媒体は、デザイン性（意匠性）に乏しく、目視でもよく観察すると確認できてしまうという問題点があった。また複写機、スキャナーの解像度向上により、複製を作成することが簡単になっているという問題点もあった。
【０００５】
本発明の課題は、安価で意匠性が高く、判別器具等を使用する必要もなく、また、複写機やスキャナー等を使用した偽造も防止することができ、セキュリティレベルの高い潜像表示媒体を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、基材と、前記基材の色以外の少なくとも一色で直線（Ｌ１，Ｌ２）を並べて、前記基材表面に印刷した万線状の印刷と、前記印刷が施されている面上にあって、規則的に配置されたエンボスを有した背景領域（Ａ１）と、前記背景領域のエンボスと同様なエンボスを、前記背景領域に対して前記直線との位置関係が異なるように配置し、斜めから観察したときに、前記背景領域のエンボスの陰側とならずに、視認することができる前記基材の色及び／又は前記直線の色と異なる割合で前記基材の色及び／又は前記直線の色を視認することができる潜像領域（Ａ２）とを備え、前記印刷は、万線をマイクロ文字で表現したことを特徴とする潜像表示媒体である。
【０００７】
請求項２の発明は、基材と、前記基材の色以外の少なくとも一色で所定の幅を有した直線（Ｌ１，Ｌ２）を所定のピッチで並べて、前記基材表面に印刷した万線状の印刷と、前記印刷が施されている面上にあって、前記直線と平行かつ同一ピッチの万線状のエンボスを有した背景領域（Ａ１）と、前記背景領域のエンボスと同一のピッチ及び形状のエンボスを、前記エンボス領域のエンボスに対して位相を略半ピッチずらして配置した領域であって、正面から観察すると、前記背景領域との見分けが困難であり、前記直線と交差する斜め方向から観察すると、前記背景領域との見分けがつき、潜像として現れる潜像領域（Ａ２）とを備え、前記印刷は、万線をマイクロ文字で表現したことを特徴とする潜像表示媒体である。
【０００８】
請求項３の発明は、請求項２に記載の潜像表示媒体において、前記直線（Ｌ３）の色と前記基材（Ｌ４）の色の境界線又は前記直線（Ｌ１，Ｌ２）同士の色の境界線が、前記背景領域（Ａ１）及び／又は前記潜像領域（Ａ２）のエンボスの凸部及び／又は凹部の略中央に有ることを特徴とする潜像表示媒体である。
【０００９】
請求項４の発明は、基材と、前記基材の色以外の少なくとも一色で所定の幅を有した直線（Ｌ１，Ｌ２）を所定のピッチで並べて、前記基材表面に印刷した万線状の印刷と、前記印刷が施されている面上にあって、前記直線と平行かつ近似したピッチの万線状のエンボスを有した背景領域（Ａ１）と、前記背景領域のエンボスと平行であると共に近似したピッチ及び形状のエンボスを、前記エンボス領域のエンボスに対して位相を略半ピッチずらして配置した領域であって、正面から観察すると、前記背景領域との見分けが困難であり、前記直線と交差する斜め方向から観察すると、前記背景領域との見分けがつき、潜像として現れる潜像領域（Ａ２）とを備え、前記印刷は、万線をマイクロ文字で表現したことを特徴とする潜像表示媒体である。
【００１０】
請求項５の発明は、請求項２から請求項４までのいずれか１項に記載の潜像表示媒体において、前記直線（Ｌ１，Ｌ２）の幅及び／又は色を部分的に変化させることにより、正面から観察したときに、見分けることができる前記潜像以外の図柄（Ｐ１，Ｐ２，Ｐ３）を有することを特徴とする潜像表示媒体である。
【００１１】
請求項６の発明は、請求項１から請求項５までのいずれか１項に記載の潜像表示媒体において、前記エンボスは、前記万線状の直線が印刷された後に形成されていることを特徴とする潜像表示媒体である。
【００１２】
請求項７の発明は、請求項１から請求項６までのいずれか１項に記載の潜像表示媒体において、前記直線（Ｌ１，Ｌ２）は、微細なピッチにより形成され、前記エンボスは、微細な凹凸により形成されていることを特徴とする潜像表示媒体である。
【００１３】
請求項８の発明は、請求項１から請求項７までのいずれか１項に記載の潜像表示媒体において、前記基材に形成され、前記潜像領域の間で切り離し可能な分離予定線をさらに備え、前記潜像領域は、割印機能を果たすこと、を特徴とする潜像表示媒体である。
【００１４】
【発明の実施の形態】
以下、図面等を参照しながら、本発明の実施の形態について、更に詳しく説明する。
（第１実施形態）
第１実施形態では、黄色と青色の直線を万線状に印刷した紙に、万線状のエンボスを施し、斜めから観察したときにのみ、「ＡＢＣ」の文字を潜像として表示することができる潜像表示媒体を作成した。
図１（ａ）は、第１実施形態における万線状の印刷を説明する図である。
潜像表示媒体は、厚さ１００μｍの上質紙を基材とし、表面に直線Ｌ１と直線Ｌ２を有している。
直線Ｌ１は、黄色のインキにより印刷された幅Ｂ１＝２５０μｍの直線であり、直線Ｌ２は、青色のインキにより印刷された幅Ｂ２＝２００μｍの直線である。直線Ｌ１，Ｌ２は、ピッチＰ＝４５０μｍの間隔を有した万線状のパターンとなるように、オフセット印刷により、印刷した。
本実施形態では、図１（ｃ）に示すように、直線Ｌ２は、万線をマイクロ文字Ｍで表現した。
【００１５】
通常、印刷により形成するマイクロ文字Ｍの大きさは、０．２ポイント以下であることが好ましく、０．１ポイント以下であることが特に好ましい。印刷により形成するマイクロ文字Ｍの大きさが０．２ポイントを超える場合には、潜像表示媒体に印刷されたマイクロ文字Ｍが、複写によって再現されて偽造されるおそれがあるからである。
【００１６】
しかし、本実施形態では、後述するように、直線Ｌ１にエンボス加工を施すので、マイクロ文字Ｍは、そもそも複写によっては再現されない。従って、０．５ポイント以下であればよいが、好ましくは印刷による場合と同様の０．２ポイント以下であり、更に好ましくは０．１ポイント以下である。
エンボス加工を施したマイクロ文字Ｍの大きさが０．５ポイントを超える場合には、得られた潜像表示媒体が改ざんされるおそれがある。なお、「ポイント」とは、活字類の大きさの基礎単位であり、１ポイントは０．３５１４ｍｍである。
【００１７】
なお、本実施形態では、２本の直線を色を変えて印刷しているが、図１（ｂ）に示すように、基材の色をそのまま直線Ｌ４として利用して、直線Ｌ３のみを印刷してもよい。
【００１８】
図２は、潜像表示媒体のエンボスを説明する図である。図２中で、実線は、エンボスの凸部を示し、実線以外の部分は、凹部を示すものとする。また、図２では、理解を容易にするために、直線Ｌ１，Ｌ２を省略して示している。
潜像表示媒体は、背景領域Ａ１と、潜像領域Ａ２とを有している。
背景領域Ａ１は、エンボスを万線状に形成された領域である。エンボスは、凹凸の高低差が２０〜１００μｍであり、この凹凸をピッチＰ＝４５０μｍの間隔とし、直線Ｌ１，Ｌ２と平行になるように形成されている。
【００１９】
潜像領域Ａ２は、背景領域Ａ１と同形状のエンボスを、背景領域Ａ１のエンボスに対して１／２ピッチずらし、かつ平行に形成した領域である。潜像領域Ａ２は、領域の外形が潜像として表示するための形状をしており、本実施形態では、「ＡＢＣ」の文字の形状をしている。
背景領域Ａ１及び潜像領域Ａ２に対するエンボスの形成は、基材に９．８〜９８００ＭＰａ（１０〜１０００ｋｇｆ／ｃｍ２  ）程度の圧力を加えて行った。
なお、エンボスの形成は、圧力を加えながら、６０〜２００℃の熱を同時に加える熱圧により行ってもよい。
【００２０】
図３は、図２中で、破線で囲んだ領域αを拡大して示した図である。図３（ｅ）は、斜視図であり、図３（ｃ）は、Ｃ−Ｃ’  断面であり、図３（ｄ）は、Ｄ−Ｄ’  断面である。
背景領域Ａ１のエンボスは、凸部の頂点付近に直線Ｌ１と直線Ｌ２との境界線が位置するように設けられている。直線Ｌ１と直線Ｌ２の幅は、ほぼ等しいので、潜像領域Ａ２の凸部の頂点付近にも、直線Ｌ１と直線Ｌ２との境界線が位置している。
【００２１】
図３（ａ）は、領域αを、真上から観察した場合の見え方を拡大して示した図である。
この領域αを、真上（正面）から観察すると、エンボスの影響を受けずに、直線Ｌ１及び直線Ｌ２がそのままの形状で視認される。直線Ｌ１，Ｌ２は、微細な線であるので、少し離れて真上から観察すると、黄色と青色とが合成されて見えるので緑一色に見え、潜像を確認することはできない。
【００２２】
図３（ｂ）は、矢印Ｂ側の斜め方向からα領域を観察した場合の見え方を拡大して示した図である。
背景領域Ａ１では、エンボスによる凸部の矢印Ｂ側に直線Ｌ２が印刷され、矢印Ｂ’  側に直線Ｌ１が印刷されているので、矢印Ｂ側の斜め方向から観察すると、背景領域Ａ１で視認される直線は、Ｌ２が大半を占める。
反対に、潜像領域Ａ２では、エンボスによる凸部の矢印Ｂ側に直線Ｌ１が印刷され、矢印Ｂ’  側に直線Ｌ２が印刷されているので、矢印Ｂ側の斜め方向から観察すると、潜像領域Ａ２で視認される直線は、Ｌ１が大半を占める。
したがって、矢印Ｂ側の斜め方向からα領域を観察すると、背景領域Ａ１は、青色又は青色が強い緑色に見え、潜像領域Ａ２は、黄色又は黄色が強い緑色に見える。よって、背景領域Ａ１と潜像領域Ａ２とを区別することができる。
【００２３】
図３（ｂ）は、矢印Ｂ’  側の斜め方向からα領域を観察した場合の見え方を拡大して示した図である。
矢印Ｂ’  側から観察する場合には、エンボスの凸部の見える側面が、先の矢印Ｂ側の場合と逆側になる。
したがって、矢印Ｂ’  側の斜め方向からα領域を観察すると、背景領域Ａ１は、黄色又は黄色が強い緑色に見え、潜像領域Ａ２は、青色又は青色が強い緑色に見える。つまり、矢印Ｂ側から観察した場合の逆の色のパターンとなって、背景領域Ａ１と潜像領域Ａ２とを区別することができる。
【００２４】
図４は、潜像表示媒体の全体を観察した場合の表示を説明する図である。
図２に示したように、潜像領域Ａ２は、外形が「ＡＢＣ」となっているので、潜像表示媒体全体を正面から観察すると、黄色と青色とが混ざって緑色に観察され〔図４（ａ）〕、矢印Ｂ側から観察すると、青い背景の中に黄色い「ＡＢＣ」が浮かび上がり〔図４（ｂ）〕、矢印Ｂ’  側から観察すると、黄色い背景の中に青い「ＡＢＣ」が浮かび上がって〔図４（ｂ’  ）〕視認することができる。
【００２５】
本実施形態によれば、万線状の印刷と同じピッチの万線状のエンボスを、ピッチが１／２ピッチ異なる２領域設け、エンボスの凸部の頂点付近を中心に万線状の印刷を振り分けたので、正面から観察すると視認できない潜像を、斜め方向から観察する場合にのみ表示することができ、観察角度により色が変化して観察される。特に、潜像表示媒体とのなす角を浅い角度とした斜め方向から観察する場合、背景領域Ａ１及び潜像領域Ａ２の各々の見える範囲は、ほぼ一色となるので、潜像を鮮明に表示することができる。このように、本実施形態によれば、意匠性に優れたデザインをすることができる。
【００２６】
また、複写機やスキャナー等を利用して複製をしても、立体的な形状は、複製されないので、潜像の複製ができない。したがって、安易な複製を防止することができる。
更にまた、万線状の印刷は、エンボスを形成する前に行うことができ、特に特殊な印刷工程を必要としない。したがって、万線の印刷方法については、解像度の再現以外に何ら制限が無く、オフセット等通常の印刷の他、各種プリンター等の出力印字、転写による対応が可能である。もちろん、凹版印刷による潜像パターン形成とは異なって、万線パターンの印刷に大量のインキを使用したり、インキ盛り量の複雑な管理も必要としない。したがって、非常に安価に製造することができる。
特に、本実施形態では、直線Ｌ２は、万線をマイクロ文字Ｍで表現したので、よりセキュリティレベルの高い潜像表示媒体を提供することができる。
【００２７】
（第２実施形態）
第２実施形態では、第１実施形態における背景領域Ａ１及び潜像領域Ａ２のエンボス自体と万線状の印刷自体により、文字を形どって形成した形態である。なお、以下の各実施形態の説明において、第１実施形態と共通する部分については、同一の符号を付して、重複する説明を適宜省略する。
【００２８】
直線Ｌ１は、黄色のインキにより印刷された幅Ｂ１＝２５０μｍの直線であり、直線Ｌ２は、青色のインキにより印刷された幅Ｂ２＝２００ミクロンの直線である。直線Ｌ１，Ｌ２は、ピッチＰ＝４５０μｍの間隔を有した万線状のパターンを、外形が「Ｓ」の文字となるように印刷した。
本実施形態では、直線Ｌ２は、万線をマイクロ文字で表現した。
エンボスは、同じくピッチ４５０μｍの万線状で、背景領域Ａ１は、外形が先の万線状の印刷と同じ「Ｓ」の文字となるように重ねて形成されている。また、潜像領域Ａ２は、星の形状に位相を１／２ピッチずらして星の潜像パターンを形成した万線状凹凸を基材にエンボスし、星形状の潜像絵柄を含む潜像表示媒体を作製した。
【００２９】
図５は、本実施形態による潜像表示媒体を観察した場合の見え方を説明する図である。
正面から観察されるのは、万線状の印刷のみであり、黄色と青色が合成された緑色を呈する「Ｓ」の文字が観察される〔図５（ａ）〕。
斜めから観察すると、背景領域Ａ１の色で視認することができる「Ｓ」の文字の中に、潜像領域Ａ２の星形状が背景領域Ａ１と色を区分して観察できる〔図５（ｂ），図５（ｂ’  ）〕。このとき、方向Ｂと方向Ｂ’  とでは、第１実施形態と同様に、背景領域Ａ１及び潜像領域Ａ２の色が青色及び黄色の組み合わせが反対となる。
【００３０】
本実施形態によれば、万線状の直線自体でも、文字を表現することができるので、情報量が増え、意匠性も高い潜像表示媒体とすることができ、デザインの幅を更に広げることができる。
【００３１】
（第３実施形態）
第３実施形態は、万線状の直線Ｌ１，Ｌ２の幅を部分的に変化させることにより、潜像以外の図柄も表示する形態である。
図６は、第３実施形態における万線状の印刷を説明する図であり、エンボスを省略して示している。
第１実施形態と同様に、青と黄のインキでピッチ４５０μｍの万線状の直線を厚さ１００μｍの上質紙に印刷した。直線の幅として次表に示す３種類の組合せを用意し、見かけ上の黄緑の濃淡が異なることを利用して「Ｆｌｏｗｅｒ」の文字及び花の図柄を形成した。
本実施形態では、直線Ｌ２は、万線をマイクロ文字で表現した。
【００３２】
【表１】
2004276560.tif 000003
【００３３】
エンボスは、第２実施形態と同じくピッチ４５０μｍの万線状で、背景領域Ａ１は、潜像領域Ａ２以外の全面に形成されている。また、潜像領域Ａ２は、星の形状に位相を１／２ピッチずらして星の潜像パターンを形成した万線状凹凸を基材にエンボスし、星形状の潜像絵柄を含む潜像表示媒体を作製した。
正面から観察すると、幅の異なる万線状の直線を印刷して形成した「Ｆｌｏｗｅｒ」の文字が黄色が強い緑色に確認することができ、花の絵柄が青色が強い緑色に確認することができるのみであり、潜像の存在は確認できない。しかし、斜めから観察すると、背景の色と潜像の星の色が、黄と青に区分して観察することができる。
【００３４】
本実施形態によれば、万線状の直線を、部分的に幅を変更して印刷したので、万線状の直線を印刷した中にも、正面から見たときに図柄を表現することができ、更に情報量が増え、意匠性も高い潜像表示媒体とすることができるので、より一層デザインの幅を更に広げることができる。
【００３５】
（第４実施形態）
第４実施形態は、万線状の直線Ｌ１，Ｌ２の色を部分的に変化させることにより、潜像以外の図柄も表示する形態である。
図７は、本実施形態における万線状の印刷を拡大して示した図である。
本実施形態では、第１実施形態と同様に、青と黄のインキでピッチ４５０μｍの万線状の直線を厚さ１００μｍの上質紙に印刷した。直線Ｌ１を黄色とし、直線Ｌ２を青色とするが、直線Ｌ２は、青色の部位Ｌ２Ｂのほかに、部分的に赤色の部位Ｌ２Ｒを設けている。直線Ｌ２の部位Ｌ２Ｂ及び部位Ｌ２Ｒをパターン状に配し、「ＤＮＰ」の文字を形成し、これを多数並べて、地紋を形成した。
本実施形態では、直線Ｌ２は、万線をマイクロ文字で表現した。
【００３６】
エンボスは、第１実施形態と同じくピッチ４５０μｍの万線状で、背景領域Ａ１は、潜像領域Ａ２以外の全面に形成されている。また、潜像領域Ａ２は、「ＡＢＣ」の文字形状に位相を１／２ピッチずらして「ＡＢＣ」の文字の潜像パターンを形成した万線状凹凸を基材にエンボスし、「ＡＢＣ」の文字形状の潜像絵柄を含む潜像表示媒体を作製した。
正面から観察すると、緑の背景に、直線Ｌ１の黄色と直線Ｌ２の赤色とが合成されることにより、橙色の「ＤＮＰ」の文字が確認することができるのみであり、潜像の存在は確認できない。しかし、斜めから観察すると、背景の色と潜像の「ＡＢＣ」の文字の色が、黄，青，赤が適宜合成された色に区分して観察することができる。
【００３７】
本実施形態によれば、万線状の直線を、部分的に色を変更して印刷したので、万線状の直線を印刷した中にも、正面から見たときに異なる色の図柄を表現することができる。したがって、更に色彩による情報量も増え、美しく意匠性が高い潜像表示媒体とすることができるので、より一層デザインの幅を更に広げることができる。
【００３８】
（第５実施形態）
図８は、本発明による潜像表示媒体の第５実施形態を示した図である。
第５実施形態では、潜像表示媒体をチケットＴとして使用した例を示しており、基材の表面に直線Ｌ１と直線Ｌ２を有している。
直線Ｌ１は、黄色のインキにより印刷された幅Ｂ１＝２５０μｍの直線であり、直線Ｌ２は、青色のインキにより印刷された幅Ｂ２＝２００μｍの直線である。直線Ｌ１，Ｌ２は、ピッチＰ＝４５０μｍの間隔を有した万線状のパターンとなるように、オフセット印刷により、印刷した。
本実施形態では、直線Ｌ２は、万線をマイクロ文字Ｍで表現した。
【００３９】
潜像表示媒体は、背景領域Ａ１と、潜像領域Ａ２とを有しており、背景領域Ａ１は、エンボスを万線状に形成された領域である。エンボスは、凹凸の高低差が２０〜１００μｍであり、この凹凸をピッチＰ＝４５０μｍの間隔とし、直線Ｌ１，Ｌ２と平行になるように形成されている。
【００４０】
潜像領域Ａ２は、背景領域Ａ１と同形状のエンボスを、背景領域Ａ１のエンボスに対して１／２ピッチずらし、かつ平行に形成した領域である。潜像領域Ａ２は、領域の外形が潜像として表示するための形状をしており、本実施形態では、「○○印刷」の文字の形状をしている。
【００４１】
本実施形態では、潜像領域Ａ２の間でチケットＴを切り離し可能なようにミシン目（分離予定線）ｍが形成されている。このチケットＴは、ミシン目ｍで切り離すことにより、半券Ｔ１，Ｔ２ができ、割印のような機能を果たすことができる。
【００４２】
この半券Ｔ１，Ｔ２は、図８（ｂ１），（ｂ２）に示すように、真上から見た時には、エンボス潜像の万線パターンしか見えないが、半券Ｔ１，Ｔ２をもぎ取るときに、エンボスの凹凸を指先で触れて、偽造されたものか否かを確認することができる。
このときに、図８（ｃ１），（ｃ２）に示すように、万線に対して垂直方向から見た時には、エンボス潜像効果で現れた潜像パターンを見ることができ、割印のような機能を果たすことができるため、偽造防止効果の高いチケットを提供することができる。
【００４３】
（変形形態）
以上説明した実施形態に限定されることなく、種々の変形や変更が可能であって、それらも本発明の均等の範囲内である。
（１）各実施形態において、万線状の直線と、万線状のエンボスとは、ピッチを同一にした例を示したが、これに限らず、例えば、直線のピッチに対してエンボスのピッチをごく僅かにずらしてもよい。このようにした場合、直線とエンボスとの位相が正確に合わずに、ずれて形成されていても、潜像を表示することができ、斜めから見たときに、背景領域及び潜像領域にグラデーションが生じ、美しい表示をすることができる。
【００４４】
（２）各実施形態において、基材に上質紙を使用する例を示したが、これに限らず、例えば、表面の平滑性が高くて良く反射し視覚的効果を最大限に引き出すために、コート紙やアート紙等でもよい。また、基材は、紙に限る必要もなく、樹脂を用いてもよく、この場合、樹脂は、熱圧でエンボスによる凹凸を記録・保持できるよう、塩化ビニル、ウレタン、ポリアミド、ポリプロピレン、ポリスチレン、ポリエステル、ポリオレフィン、ポリエチレン等の熱可塑性樹脂が好ましい。更に、基材には、金属等を用いても構わない。
【００４５】
（３）各実施形態において、万線状の直線の形成は、オフセット印刷により行う例を示したが、これに限らず、例えば、コーティング，グラビア，シルク，活版等による印刷でもよいし、転写やインクジェットプリンタや静電記録プリンタにより印字出力する方法でもよい。
【００４６】
（４）各実施形態において、上質紙にエンボスを施しただけの例を示したが、これに限らず、例えば、エンボスを記録・保持するため塩化ビニル、ウレタン、ポリアミド、ポリプロピレン、ポリスチレン、ポリエステル、ポリオレフィン、ポリエチレン等の熱可塑性樹脂を万線絵柄の上層に構成し、熱圧でエンボスしてもよい。
また潜像の視覚的効果を最大限生かすため、真珠光沢顔料や液晶顔料、金属光沢を有する顔料等反射率の高い顔料をそれら樹脂に混ぜてインキ化し上層に構成してもよい。
更に、アクリル系のＵＶ硬化樹脂を半硬化の状態でエンボスし、ＵＶを照射して硬化させてもよい。
【００４７】
（５）万線をマイクロ文字で表現する印刷は、万線と同等レベルの潜像効果を維持するために、図９（ｂ）に示すように、マイクロ文字の線幅を太くしたり（図９（ａ）のものと比較して）、図９（ｃ）に示すように、ネガのマイクロ文字にするようにしてもよい。
（６）第５実施形態の潜像表示媒体はチケットを例にして説明したが、ギフト券その他の金券であってもよい。このとき、切り離し用のミシン目は、ハーフカットでもよい。
【００４８】
【発明の効果】
以上詳しく説明したように、本発明によれば、基材表面に印刷した万線状の印刷と、規則的に配置されたエンボスを有した背景領域と、斜めから観察したときに視認することができる潜像領域とを備えるので、意匠性に優れ、複写機、スキャナー等を利用して複製をすることができない潜像表示媒体とすることができる。また、印刷は、万線をマイクロ文字で表現したので、よりセキュリティレベルの高い潜像表示媒体を提供することができる。
特に、潜像領域のエンボスを背景領域のエンボスに対して、略半ピッチずらして配置したり、直線の色と基材の色との境界線が、背景領域及び／又は潜像領域のエンボスの凸部及び／又は凹部の略中央に有るようにすることにより、潜像を鮮明に表示することができる。
逆に、背景領域及び潜像領域を万線状の直線と平行かつ近似したピッチの万線状のエンボスを有するようにすれば、直線とエンボスとの位置がずれた場合であっても、潜像を表示することができ、また、美しいグラデーションも同時に表示することができる。
【００４９】
また、直線の幅及び／又は色を部分的に変化させれば、正面から観察したときに、見分けることができる潜像以外の図柄を表示することができ、意匠性を更に高めることができる。
【００５０】
更に、エンボスは、万線状の直線が印刷された後に形成されることとするので、万線の印刷方法に解像度の再現以外に何ら制限が無く、万線パターンの印刷に大量のインキを使用したり、インキ盛り量の複雑な管理も必要とせず、印刷工程を簡単にすることができる。
【００５１】
更にまた、直線及びエンボスは、微細であるので、普通に観察しただけでは、直線及びエンボスを意識することなく、通常の印刷と区別されることがないので、意外性も備え、様々な用途に使用することができる。
【００５２】
一方、潜像領域間で基材を切り離し可能なように分離予定線を形成し、手触りでエンボス潜像を確認できるとともに、割印機能を持たせたので、例えば、チケット等として使用した場合に、偽造防止効果の高い潜像表示媒体を提供することができる。
【図面の簡単な説明】
【図１】第１実施形態における万線状の印刷を説明する図である。
【図２】潜像表示媒体のエンボスを説明する図である。
【図３】領域αを拡大して示した図である。
【図４】潜像表示媒体の全体を観察した場合の表示を説明する図である。
【図５】第２実施形態における潜像表示媒体を観察した場合の見え方を説明する図である。
【図６】第３実施形態における万線状の印刷を説明する図である。
【図７】第４本実施形態における万線状の印刷を拡大して示した図である。
【図８】本発明による潜像表示媒体の第５実施形態を示した図である。
【図９】本発明による潜像表示媒体のマイクロ文字の変形形態を示した図である。
【符号の説明】
Ｌ１，Ｌ２  直線
Ａ１  背景領域
Ａ２  潜像領域
【図１】
2004276560.tif 000004
【図２】
2004276560.tif 000005
【図３】
2004276560.tif 000006
【図４】
2004276560.tif 000007
【図５】
2004276560.tif 000008
【図６】
2004276560.tif 000009
【図７】
2004276560.tif 000010
【図８】
2004276560.tif 000011
【図９】
2004276560.tif 000012